(57)【特許請求の範囲】
【請求項１】
ユーザインタフェースの操作に応じて、ストロークの描画のための色を設定する設定手段と、
前記設定手段によって設定される第１色と画面上の背景の色が同色である場合、手書きによって入力される第１のストロークを前記第１色と異なる第２色で画面上に描画する描画手段とを具備し、
前記描画手段は、前記第１のストロークを前記第２色で描画してから第１の期間が経過した後に、前記画面上に前記第１のストロークを前記第１色で描画する電子機器。
【請求項２】
前記第１のストロークは第１の線種の線または第１の太線で描画される請求項１記載の電子機器。
【請求項３】
前記第１の期間は、前記第１のストロークの前記第２色での描画の開始に対応する時点から、手書きによる入力が第１の基準時間以上途絶えることが検出されるまでの期間である請求項１記載の電子機器。
【請求項４】
前記第１の期間は、前記第１のストロークの前記第２色での描画の開始に対応する時点から、前記第１のストロークの描画の完了後の経過時間が第１時間に達するまでの期間である請求項１記載の電子機器。
【請求項５】
前記描画手段は、前記第１のストロークの前記第２色での描画の完了後から前記第１の基準時間が経過する前に、第２のストロークが手書きによって入力された場合、前記第２のストロークを前記第２色で前記画面上に描画し、
前記第２のストロークの前記第２色での描画の完了後に手書きによる入力が前記第１の基準時間以上途絶えることが検出された場合、前記画面上に前記第１および第２のストロークを前記第１色で描画する請求項３記載の電子機器。
【請求項６】
前記描画手段は、前記第１のストロークを前記第２色で描画してから前記第１の期間よりも短い第２の期間が経過した後に、前記画面上に前記第１のストロークを前記第２色から前記第１色に向けて連続的に遷移させる請求項１記載の電子機器。
【請求項７】
前記描画手段は、手書きによる入力が前記第１の基準時間よりも短い第２の基準時間以上途絶えることが検出された場合、前記画面上の前記第１のストロークを前記第２色から前記第１色に向けて連続的に遷移させ、手書きによる入力が前記第１の基準時間以上途絶えることが検出される前に第２のストロークが手書き入力された場合、前記画面上の前記第１のストロークを前記第１色に戻す請求項３記載の電子機器。
【請求項８】
前記背景の色は、前記画面上に表示される手書き可能ページの背景色である請求項１記載の電子機器。
【請求項９】
前記設定手段は、透明属性を有する描画形態がユーザによって選択された場合、前記手書きストロークの描画色を前記画面上の背景の色と同色に設定する請求項１記載の電子機器。
【請求項１０】
ユーザインタフェースの操作に応じて、ストロークの描画のための色を設定し、
前記設定される第１色と画面上の背景の色が同色である場合、手書きによって入力される第１のストロークを前記第１色と異なる第２色で画面上に描画し、
前記第１のストロークを前記第２色で描画してから第１の期間が経過した後に、前記画面上に前記第１のストロークを前記第１色で描画する、手書きデータ処理方法。
【請求項１１】
コンピュータにより実行されるプログラムであって、
ユーザインタフェースの操作に応じて、ストロークの描画のための色を設定する手順と、
前記設定される第１色と画面上の背景の色が同色である場合、手書きによって入力される第１のストロークを前記第１色と異なる第２色で画面上に描画する手順と、
前記第１のストロークを前記第２色で描画してから第１の期間が経過した後に、前記画面上に前記第１のストロークを前記第１色で描画する手順とを前記コンピュータに実行させるためのプログラム。
【発明の詳細な説明】
【技術分野】
【０００１】
本発明の実施形態は、手書きデータを処理する技術に関する。
【背景技術】
【０００２】
近年、タブレット、ＰＤＡ、スマートフォンといった種々の電子機器が開発されている。この種の電子機器の多くは、ユーザによる入力操作を容易にするために、タッチスクリーンディスプレイを備えている。【０００３】
ユーザは、タッチスクリーンディスプレイ上に表示されるメニューまたはオブジェクトを指などでタッチすることにより、これらメニューまたはオブジェクトに関連づけられた機能の実行を電子機器に指示することができる。【０００４】
しかし、タッチスクリーンディスプレイを備える既存の電子機器の多くは、画像、音楽、他の各種メディアデータに対する操作性を追求したコンシューマ向け製品であり、会議、商談、商品開発などのビジネスシーンにおける利用については必ずしも適していない場合がある。このため、ビジネスシーンにおいては、いまなお、紙の手帳が広く利用されている。【０００５】
最近では、会議用の電子黒板システムも開発されている。
【先行技術文献】
【特許文献】
【０００６】
【特許文献１】特開平１１−３２７７８９号公報
【発明の概要】
【発明が解決しようとする課題】
【０００７】
ところで、手帳のような紙のページでは、ユーザが、手書きする内容に応じて、ペンの色等を使い分けることがある。そのため、電子機器において手書きデータを容易に扱うことができるようにするためには、手書き文書の作成に様々な描画形態を利用できるようにすることが必要とされる。【０００８】
本発明の一形態の目的は、手書きデータを容易に扱うことができる電子機器および手書きデータ処理方法を提供することである。
【課題を解決するための手段】
【０００９】
実施形態によれば、電子機器は、設定手段と、描画手段とを具備する。前記設定手段は、ユーザインタフェースの操作に応じて、ストロークの描画のための色を設定する。前記描画手段は、前記設定手段により設定される第１色と画面上の背景の色が同色である場合、手書きによって入力される第１のストロークを前記第１色と異なる第２色で画面上に描画する。前記描画手段は、前記第１のストロークを前記第２色で描画してから第１の期間が経過した後に、前記画面上に前記第１のストロークを前記第１色で描画する。
【図面の簡単な説明】
【００１０】
【図１】図１は、実施形態に係る電子機器の外観を示す斜視図である。
【図２】図２は、同実施形態の電子機器と外部装置との連携動作を示す図である。
【図３】図３は、同実施形態の電子機器のタッチスクリーンディスプレイ上に手書きされる手書き文書の例を示す図である。
【図４】図４は、同実施形態の電子機器によって記憶媒体に保存される、図３の手書き文書に対応する時系列情報を説明するための図である。
【図５】図５は、同実施形態の電子機器のシステム構成を示すブロック図である。
【図６】図６は、同実施形態の電子機器によって実行されるデジタルノートブックアプリケーションプログラムの機能構成を示すブロック図である。
【図７】図７は、同実施形態の電子機器によって実行される、ユーザの操作に応じて設定された色と異なる色でストロークを描画する動作を説明するための図である。
【図８】図８は、同実施形態の電子機器によって実行される、描画されたストロークの色を元の色に戻す動作の第１の例を説明するための図である。
【図９】図９は、同実施形態の電子機器によって実行される、描画されたストロークの色を元の色に戻す動作の第２の例を説明するための図である。
【図１０】図１０は、同実施形態の電子機器によって実行される描画処理の手順を示すフローチャートである。
【図１１】図１１は、同実施形態の電子機器によって実行される、描画されたストロークの色を連続的に遷移させる動作を説明するための図である。
【発明を実施するための形態】
【００１１】
以下、実施の形態について図面を参照して説明する。  
図１は、一実施形態に係る電子機器の外観を示す斜視図である。この電子機器は、例えば、ペンまたは指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはストレートコンピュータとも称される携帯型電子機器であり、図１に示すように、本体１１とタッチスクリーンディスプレイ１７とを備える。タッチスクリーンディスプレイ１７は、本体１１の上面に重ね合わせるように取り付けられている。
【００１２】
本体１１は、薄い箱形の筐体を有している。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、デジタイザとタッチパネルの２種類のセンサの双方がタッチスクリーンディスプレイ１７に組み込まれている場合を想定する。
【００１３】
デジタイザおよびタッチパネルタッチの各々は、フラットパネルディスプレイの画面を覆うように設けられる。このタッチスクリーンディスプレイ１７は、指を使用した画面に対するタッチ操作のみならず、ペン１００を使用した画面に対するタッチ操作も検出することができる。ペン１００は例えば電磁誘導ペンであってもよい。ユーザは、外部オブジェクト（ペン１００又は指）を使用してタッチスクリーンディスプレイ１７上で手書き入力操作を行うことができる。手書き入力操作中においては、画面上の外部オブジェクト（ペン１００又は指）の動きの軌跡、つまり手書き入力操作によって手書きされるストローク（手書きストロークの軌跡）がリアルタイムに描画され、これによって手書きにより入力された複数の手書きストローク（各手書きストロークの軌跡）が画面上に表示される。外部オブジェクトが画面に接触されている間の外部オブジェクトの動きの軌跡が１つの手書きストロークに相当する。手書きされた文字、マーク、図形、表などに対応する多数の手書きストロークの集合、つまり多数の軌跡（筆跡）の集合が手書きデータを構成する。以下では、手書きストロークは単にストロークとも称する。
【００１４】
本実施形態では、この手書き文書は、イメージデータではなく、各ストロークの軌跡の座標列とストローク間の順序関係を示す時系列情報として記憶媒体に保存される。この時系列情報の詳細は図４を参照して後述するが、この時系列情報は、複数のストロークが手書きされた順を示し、且つ複数のストロークにそれぞれ対応する複数のストロークデータを含む。換言すれば、この時系列情報は、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序つまり筆順に相当する。
【００１５】
タブレットコンピュータ１０は、記憶媒体から既存の任意の時系列情報を読み出し、この時系列情報に対応する手書き文書、つまりこの時系列情報によって示される複数のストロークを画面上に表示することができる。時系列情報によって示される複数のストロークも、手書きによって入力される複数のストロークである。
【００１６】
さらに、タブレットコンピュータ１０は編集機能を有している。この編集機能は、「消しゴム」ツール、範囲選択ツール、および他の各種ツール等を用いたユーザによる編集操作に応じて、表示中の手書き文書内の任意のストロークまたは任意の手書きオブジェクト部分（手書き文字、手書きマーク、手書き図形、手書き表、等）を削除または移動することができる。またさらに、範囲選択ツールによって選択される手書き文書内の任意の部分を、手書き文書を検索するための検索キーとして指定することもできる。
【００１７】
本実施形態では、時系列情報（手書き文書）は、１つまたは複数のページとして管理されうる。この場合、時系列情報（手書き文書）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を一つのページとして扱うことができる。１つのページ全体をディスプレイに同時に表示できない場合は、そのページを縮小してするようにしてもよいし、縦横スクロールによってページ内の表示対象部分を移動するようにしてもよい。
【００１８】
ページには、手書き文書（手書きデータ）のみならず、手書きデータ以外の他の各種コンテンツデータ、例えば、画像データ（静止画、動画）、テキストデータ、音声データ、ドロー系アプリケーションによって作成されたデータ、等を含むことができる。換言すれば、本実施形態で扱われる手書き文書（手書きページデータ）は、複数種のメディアデータ（手書きデータ、画像データ、テキストデータ、音声データ、ドロー系アプリケーションによって作成されたデータ、等）を含むことができる。この場合、手書きページデータに含まれるこれらメディアデータには互いに異なるレイヤがそれぞれ割り当てられてもよい。ユーザは、あるメディアデータ（コンテンツデータとも云う）上にストローク（手書き文字、手書きマーク、手書き図形、手書き表、等）を手書きすることもできる。
【００１９】
図２は、タブレットコンピュータ１０と外部装置との連携動作の例を示している。タブレットコンピュータ１０は、パーソナルコンピュータ１やクラウドと連携することができる。すなわち、タブレットコンピュータ１０は、無線ＬＡＮなどの無線通信デバイスを備えており、パーソナルコンピュータ１との無線通信を実行することができる。さらに、タブレットコンピュータ１０は、インターネット上のサーバ２との通信を実行することもできる。サーバ２はオンラインストレージサービス、他の各種クラウドコンピューティングサービスを実行するサーバであってもよい。
【００２０】
パーソナルコンピュータ１はハードディスクドライブ（ＨＤＤ）のようなストレージデバイスを備えている。タブレットコンピュータ１０は、手書きページデータをネットワーク越しにパーソナルコンピュータ１に送信して、パーソナルコンピュータ１のＨＤＤに記録することができる（アップロード）。タブレットコンピュータ１０とパーソナルコンピュータ１との間のセキュアな通信を確保するために、通信開始時には、パーソナルコンピュータ１がタブレットコンピュータ１０を認証するようにしてもよい。この場合、タブレットコンピュータ１０の画面上にユーザに対してＩＤまたはパスワードの入力を促すダイアログを表示してもよいし、タブレットコンピュータ１０のＩＤなどを自動的にタブレットコンピュータ１０からパーソナルコンピュータ１に送信してもよい。
【００２１】
これにより、タブレットコンピュータ１０内のストレージの容量が少ない場合でも、タブレットコンピュータ１０が多数の手書きページデータあるいは大容量の手書きページデータを扱うことが可能となる。
【００２２】
さらに、タブレットコンピュータ１０は、パーソナルコンピュータ１のＨＤＤに記録されている任意の１以上の手書きページデータを読み出し（ダウンロード）、その手書きページデータの内容（手書きデータ、他の各種コンテンツデータ）をタブレットコンピュータ１０のディスプレイ１７の画面に表示することができる。この場合、複数の手書きページデータそれぞれを縮小することによって得られるサムネイルの一覧をディスプレイ１７の画面上に表示してもよいし、これらサムネイルから選ばれた１ページをディスプレイ１７の画面上に通常サイズで表示してもよい。
【００２３】
さらに、タブレットコンピュータ１０が通信する先はパーソナルコンピュータ１ではなく、上述したように、ストレージサービスなどを提供するクラウド上のサーバ２であってよい。タブレットコンピュータ１０は、手書きページデータをネットワーク越しにサーバ２に送信して、サーバ２のストレージデバイス２Ａに記録することができる（アップロード）。さらに、タブレットコンピュータ１０は、サーバ２のストレージデバイス２Ａに記録されている任意の手書きページデータを読み出して（ダウンロード）、その手書きページデータの内容（手書きデータ、他の各種コンテンツデータ）をタブレットコンピュータ１０のディスプレイ１７の画面に表示することができる。
【００２４】
このように、本実施形態では、手書きページデータが格納される記憶媒体は、タブレットコンピュータ１０内のストレージデバイス、パーソナルコンピュータ１内のストレージデバイス、サーバ２のストレージデバイスのいずれであってもよい。
【００２５】
次に、図３および図４を参照して、ユーザによって手書きされたストローク（文字、マーク、図形、表など）と時系列情報との関係について説明する。図３は、ペン１００などを使用してタッチスクリーンディスプレイ１７上に手書きされる手書き文書（手書き文字列）の例を示している。
【００２６】
手書き文書では、一旦手書きによって入力される文字や図形などの上に、さらに別の文字や図形などが手書きによって入力されるというケースが多い。図３においては、「ＡＢＣ」の手書き文字列が「Ａ」、「Ｂ」、「Ｃ」の順番で手書きによって入力され、この後に、手書きの矢印が、手書き文字「Ａ」のすぐ近くに手書きによって入力された場合が想定されている。
【００２７】
手書き文字「Ａ」は、ペン１００などを使用して手書きされる２つのストローク（「∧」形状の軌跡、「−」形状の軌跡）によって、つまり２つの軌跡によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…ＳＤ１ｎが得られる。同様に、次に手書きされる「−」形状のペン１００の軌跡も等時間間隔でリアルタイムにサンプリングされ、これによって「−」形状のストロークの時系列座標ＳＤ２１、ＳＤ２２、…ＳＤ２ｎが得られる。
【００２８】
手書き文字「Ｂ」は、ペン１００などを使用して手書きされた２つのストローク、つまり２つの軌跡によって表現される。手書き文字「Ｃ」は、ペン１００などを使用して手書きされた手書きされた１つのストローク、つまり１つの軌跡によって表現される。手書きの「矢印」は、ペン１００などを使用して手書きされた手書きされた２つのストローク、つまり２つの軌跡によって表現される。
【００２９】
図４は、図３の手書き文書に対応する時系列情報（手書きデータ）２００を示している。時系列情報は、複数のストロークデータＳＤ１、ＳＤ２、…、ＳＤ７を含む。時系列情報２００内においては、これらストロークデータＳＤ１、ＳＤ２、…、ＳＤ７は、筆跡順に、つまり複数のストロークが手書きされた順に時系列に並べている。
【００３０】
時系列情報２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００３１】
各ストロークデータは、一つのストロークに対応する座標データ系列（時系列座標）、つまり一つのストロークの軌跡上の複数の点それぞれに対応する複数の座標を含む。各ストロークデータにおいては、複数の座標はストロークが書かれた順に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまりｎ個の座標データＳＤ１１、ＳＤ１２、…ＳＤ１ｎを含む。ストロークデータＳＤ２は、手書き文字「Ａ」の「−」形状のストロークの軌跡上の点それぞれに対応する座標データ系列、つまりｎ個の座標データＳＤ２１、ＳＤ２２、…ＳＤ２ｎを含む。なお、座標データの数はストロークデータ毎に異なっていてもよい。
【００３２】
各座標データは、対応する軌跡内のある１点に対応するＸ座標およびＹ座標を示す。例えば、座標データＳＤ１１は、「∧」形状のストロークの始点のＸ座標（Ｘ１１）およびＹ座標（Ｙ１１）を示す。ＳＤ１ｎは、「∧」形状のストロークの終点のＸ座標（Ｘ１ｎ）およびＹ座標（Ｙ１ｎ）を示す。
【００３３】
さらに、各座標データは、その座標に対応する点が手書きされた時点に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、さらに、ストロークデータ内の各座標データに、絶対時間との差分を示す相対時間をタイムスタンプ情報Ｔとして付加してもよい。
【００３４】
このように、各座標データにタイムスタンプ情報Ｔが追加された時系列情報を使用することにより、ストローク間の時間的関係をより精度よく表すことができる。
【００３５】
さらに、各座標データには、筆圧を示す情報（Ｚ）を追加してもよい。またさらに、各ストロークデータには、ペンスタイル（描画形態）を追加しても良い。ペンスタイルは、手書きストロークの描画の形態、例えば、線（描画される軌跡）の色、線種（実線、破線）、線の太さ、等を表す。ユーザは使用すべきペンスタイルを変更しながら手書き入力操作を行うことができる。
【００３６】
図４で説明したような構造を有する時系列情報２００は、個々のストロークの筆跡だけでなく、ストローク間の時間的関係も表すことができる。したがって、この時系列情報２００を使用することにより、図３に示すようにたとえ手書き「矢印」の先端部が手書き文字「Ａ」上に重ねてまたは手書き文字「Ａ」に近接して書かれたとしても、手書き文字「Ａ」と手書き「矢印」の先端部とを異なる文字または図形として扱うことが可能となる。
【００３７】
さらに、本実施形態の時系列情報２００においては、上述したように、ストロークデータＳＤ１、ＳＤ２、…、ＳＤ７の並びは手書き文字の筆順を示す。例えば、ストロークデータＳＤ１およびＳＤ２の並びは、最初に「∧」形状のストロークが手書きされ、次に「−」形状のストロークが手書きされたことを表す。したがって、たとえ２つの手書き文字の筆跡同士が互いに類似していても、それら２つの手書き文字の筆順が互いに異なる場合には、それら２つの手書き文字を異なる文字として区別することができる。
【００３８】
さらに、本実施形態では、上述したように、手書きデータは、イメージまたは文字認識結果ではなく、時系列のストロークデータの集合から構成される時系列情報２００として記憶されるので、手書き文字の言語に依存せずに手書き文字を扱うことができる。よって、本実施形態の時系列情報２００の構造は、使用言語の異なる世界中の様々な国で共通に使用できる。
【００３９】
図５は、タブレットコンピュータ１０のシステム構成を示す図である。  
タブレットコンピュータ１０は、図５に示されるように、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８等を備える。
【００４０】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、デジタルノートブックアプリケーションプログラム２０２が含まれている。このデジタルノートブックアプリケーションプログラム２０２は、上述の手書きページデータを作成および表示する機能、手書きページデータを編集する機能、手書きページデータ内の手書きオブジェクト（手書き文字、手書きマーク、手書き図形等）を認識する機能、所望の手書き部分を含む手書き文書情報や、ある手書き文書情報内の所望の手書き部分を検索するための手書き文書検索機能を有している。手書き文書検索機能は、筆跡検索およびテキスト検索（文字列検索）の双方を実行することができる。筆跡検索は、検索キーである手書きストローク群の筆跡特徴量と類似する筆跡特徴量を有するストロークデータ群を検索するための検索方式である。テキスト検索（文字列検索）は、検索キーであるテキスト（文字コード）に対応する手書き文字（ストロークデータ群）を検索するための検索方式である。
【００４１】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００４２】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００４３】
グラフィクスコントローラ１０４は、本タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂおよびデジタイザ１７Ｃが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７ＣはＬＣＤ１７Ａの画面上で入力を行うための電磁誘導式のポインティングデバイスである。ペン１００が接触される画面上の接触位置および接触位置の動き等はデジタイザ１７Ｃによって検出される。
【００４４】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オンまたは電源オフする機能を有している。
【００４５】
次に、図６を参照して、デジタルノートブックアプリケーションプログラム２０２の機能構成について説明する。
【００４６】
デジタルノートブックアプリケーションプログラム２０２は、手書きデータを扱うことが可能なＷＹＳＩＷＹＧアプリケーションである。このデジタルノートブックアプリケーションプログラム２０２は、タッチスクリーンディスプレイ１７を用いた手書き入力操作によって入力される座標データ系列（時系列座標）を使用することによって、手書き文書の作成、表示、編集等を行う。また、デジタルノートブックアプリケーション２０２は、上述の筆跡検索およびテキスト検索を実行することもできる。さらに、デジタルノートブックアプリケーションプログラム２０２は、手書き文書上に手書きされた文字を文字コードに変換する筆跡認識を行うこともできる。
【００４７】
デジタルノートブックアプリケーション２０２は、例えば、ペン設定部３００Ａ、背景設定部３００Ｂ、表示処理部３０１、時系列情報生成部３０２、検索／認識部３０３、ページ保存処理部３０６、ページ取得処理部３０７、およびインポート部３０８を備える。
【００４８】
上述したタッチスクリーンディスプレイ１７は、「タッチ」、「移動（スライド）」、「リリース」等のイベントの発生を検出するように構成されている。「タッチ」は、画面上に外部オブジェクトが接触したことを示すイベントである。「移動（スライド）」は、画面上に外部オブジェクトが接触されている間に接触位置が移動されたことを示すイベントである。「リリース」は、画面から外部オブジェクトが離されたことを示すイベントである。
【００４９】
デジタルノートブックアプリケーションプログラム２０２は手書きページデータの作成、閲覧、編集を行うためのノートビュー画面をタッチスクリーンディスプレイ１７上に表示する。このノートビュー画面は手書き可能な画面であり、このノートビュー画面上には、例えば、複数のペンアイコン、「範囲選択」アイコン、「消しゴム」アイコンが表示され得る。複数のペンアイコンには、複数種のペンスタイル（描画形態）が割り当てられている。ペンスタイルは、上述したように、線（描画される軌跡）の色、線の種類（実線、破線等）、線の太さ、ペン先の種類（ボールペン、マーカ、万年筆等）等の組み合わせによって定められる。
【００５０】
ペン設定部３００Ａは、ユーザインタフェース（例えば、上述の複数のペンアイコン、またはペンスタイルの詳細を設定するためのメニュー画面、等）を表示し、ユーザによって行われるこのユーザインタフェースの操作に応じてストロークの描画の形態を設定する。本実施形態では、代表的な幾つかのペンスタイルが割り当てられた幾つかのペンアイコンがノートビュー画面上に表示される。これらペンアイコンには、黒ペンアイコン、赤ペンアイコン、緑色ペンアイコン、透明ペンアイコン等が含まれる。黒ペンアイコンは黒色の実線を描画するためのペンアイコンである。赤ペンアイコンは赤色の実線を描画するためのペンアイコンである。緑色ペンアイコンは緑色の実線を描画するためのペンアイコンである。透明ペンアイコンは、透明属性を有する描画形態が割り当てられたペンアイコンである。この透明ペンアイコンは、例えば、画面上に表示されない属性（透明属性）を有する手書き文字または手書きマークなどを手書きページに埋め込むために使用される。ユーザは、上述の筆跡検索を利用することによって、透明ペンアイコンで手書きされた文字またはマーク等を含む手書きページデータを容易に見つけることができる。
【００５１】
ペン設定部３００Ａは、いずれかのペンアイコン上での「タッチ（タップ）」イベントが受信されたことに応じて、タッチされたペンアイコンに関連付けられた描画形態を、現在の描画形態として設定する。
【００５２】
背景設定部３００Ｂは、ユーザによって行われる背景色設定操作に応じて、ノートビュー画面上に表示される手書き可能なページ（手書きページ）の背景の形態（ページスタイル）を設定する。手書き可能なページの背景の形態としては、この手書き可能なページの背景色、手書き可能なページの背景に表示すべき罫線の有無、手書き可能なページの背景に表示すべき罫線の間隔、等がある。
【００５３】
表示処理部３０１および時系列情報生成部３０２は、タッチスクリーンディスプレイ１７によって発生される「タッチ」、「移動（スライド）」または「リリース」のイベントを受信し、これによって手書き入力操作を検出する。「タッチ」イベントには、接触位置の座標が含まれている。「移動（スライド）」イベントには、移動先の接触位置の座標が含まれている。したがって、表示処理部３０１および時系列情報生成部３０２は、タッチスクリーンディスプレイ１７から、接触位置の動きの軌跡に対応する座標列を受信することができる。
【００５４】
表示処理部３０１は、背景設定部３００Ｂによって設定された背景の形態（ページスタイル）でノートビュー画面を表示する。また、表示処理部３０１は、手書きによって入力されるストローク（ストロークの軌跡）をペン設定部３００Ａによって設定された描画形態（色、線種、等）でノートビュー画面上に描画するように構成された描画部として機能する。
【００５５】
すなわち、表示処理部３０１は、タッチスクリーンディスプレイ１７から座標列を受信する。そして、表示処理部３０１は、この座標列に基づいて、手書き入力操作によって手書きされる各ストロークの軌跡を、ペン設定部３００Ａによって設定された描画形態（ペンスタイル）でノートビュー画面上に描画する。この表示処理部３０１により、画面にペン１００が接触している間のペン１００の軌跡、つまり各ストロークの軌跡がノートビュー画面上に表示される。
【００５６】
ユーザは、任意のペンスタイル（任意の色、任意の線種、等）を使用して文字、マーク、図形等をノートビュー画面上に手書きすることができる。しかし、手書きページの背景色と設定されたペンの色が同色である場合、手書きされたストロークが見えなくなってしまう。
【００５７】
例えば、画面上に表示されない透明属性を有する手書き文字または手書きマークなどを手書きページに埋め込むために、ユーザが意図的に背景色と同じペンの色を設定する場合がある。また、上述の透明ペンアイコンが選択された場合も、ペンの色は背景色と同じ色に自動的に設定される。
【００５８】
しかし、ペンの色と背景色とが同じ場合には、ユーザは手書きされたストロークを視認することができないので、手書きしたストロークを確認することができない。また、ストロークが見えないため、このストロークを消しゴムツールで消すことも難しい。
【００５９】
そこで、表示処理部３０１は、ある設定された色（第１色）と画面上の背景の色が同色である場合には、手書きによって入力されるストロークを設定される色（第１色）と異なる第２色で画面上に描画するように構成されている。画面上の背景の色は、例えば、背景設定部３００Ｂによって設定された手書きページの背景色である。なお、手書きページには、図形データ、画像データといった他のオブジェクトを配置することができ、このオブジェクト上に手書きストロークを描画することができる。したがって、上述の画面上の背景の色は、ストロークの背面側に位置する画面上のオブジェクトの色、例えば、このオブジェクトの背景色、であってもよい。
【００６０】
第２色としては、例えば、背景の色の補色が使用される。また、設定される色（任意の第１色）と画面上の背景の色が同色である場合には、このようにストロークの描画の色を自動的に変更するのみならず、線種、線の太さ、等も自動的に変更しても良い。
【００６１】
換言すれば、表示処理部３０１は、設定される色（任意の第１色）と画面上の背景の色が同色である場合には、手書きによって入力されるストロークを、予め設定されているペンスタイルで描画することができる。予め設定されているペンスタイルとしては、線種＝破線、線の太さ＝太線、色＝背景色の補色、の組み合わせを使用しえる。
【００６２】
さらに、表示処理部３０１は、ストロークが上述の予め設定されたスタイルで第１の期間表示された後に、画面上のこのストロークのスタイルを、上述の予め設定されたスタイルから、元の設定されたスタイルに自動的に変更するように構成されている。換言すれば、表示処理部３０１は、ストロークを設定される色（任意の第１色）と異なる第２色で画面上に描画してから第１の期間が経過した後に、このストロークを上述の第１色で画面上に描画（再描画）する。第１の期間の詳細は図８、図９で詳述するが、第１の期間は、一定時間である必要は無く、ユーザによる手書き操作の状況等に応じて自動的に変化し得る可変時間であってよい。
【００６３】
これにより、少なくとも手書き操作中においては、手書きによって入力されるストロークの軌跡を視認可能にユーザに提示することができるので、ユーザは画面を見ながら手書き入力操作を行うことができる。また、ストロークが上述の予め設定されたスタイルで描画されてから第１の期間が経過した後には、このストロークの色は設定された元の色（第１色）に自動的に戻される。したがって、ユーザが透明属性を有する手書き文字または手書きマークを手書きし終えた後は、これら透明属性を有する手書き文字または手書きマークを見えなくすることができる。よって、透明属性を有する手書き文字または手書きマーク等の本来の性質を、ユーザの操作無しで、自動的に回復することができる。
【００６４】
さらに、表示処理部３０１は、インポート部３０８によって外部アプリケーション／外部ファイルからインポートされる様々なコンテンツデータ（画像データ、音声データ、テキストデータ、ドロー系アプリケーションによって作成されたデータ）に対応するオブジェクトをノートビュー画面上に表示することができる。この場合、各コンテンツデータに対応するオブジェクトは、作成中のページ上の任意の位置に配置することができる。
【００６５】
時系列情報生成部３０２は、タッチスクリーンディスプレイ１７から出力される上述の座標列を受信し、この座標列に基づいて、図４で詳述したような構造を有する時系列情報（座標データ系列）と、ペン設定部３００によって設定されているペンスタイルを示すペンスタイル情報と、背景設定部３００Ｂによって設定されているページスタイルを示すページスタイル情報とを含む、手書きデータを生成する。時系列情報生成部３０２は、生成された手書きデータを作業メモリ４０１に一時保存する。
【００６６】
上述したように、本実施形態では、画面上に描画されるストロークの色は視認可能な色（第２色）に一時的に変更されるが、生成される手書きデータ内に含まれるストロークデータに付加されているペンスタイル情報（例えば、ストロークの色を示す情報）については必ずしも変更しなくても良い。
【００６７】
検索／認識処理部３０３は、手書きページデータ中の手書き文字列をテキスト（文字コード列）に変換する筆跡認識処理、手書きページデータ中の画像内に含まれる文字列をテキスト（文字コード列）に変換する文字認識処理（ＯＣＲ）を実行する。さらに、検索／認識処理部３０３は、上述の筆跡検索およびテキスト検索を実行することができる。
【００６８】
ページ保存処理部３０６は、作成中のページ上に配置される複数種のコンテンツデータ（手書きデータ、他の各種コンテンツデータ等）を含む手書きページデータを生成し、この手書きページデータを記憶媒体４０２に保存する。記憶媒体４０２は、例えば、タブレットコンピュータ１０内のストレージデバイスであってもよいし、サーバコンピュータ２のストレージデバイスであってもよい。
【００６９】
ページ取得処理部３０７は、記憶媒体４０２から任意の手書きページデータを取得する。この取得された手書きページデータは表示処理部３０１に送られる。表示処理部３０１は、手書きページデータに含まれる複数種のデータ（手書きデータ、他のコンテンツデータ）が配置されるページを画面上に表示する。
【００７０】
図７は、本実施形態の描画処理動作の例を示す。  
タッチスクリーンディスプレイ１７の画面上には手書き可能なページ６００が表示される。ここでは、このページ６００の背景色が緑色に設定されており、且つ緑色のペンがユーザによって選択された場合を想定する。
【００７１】
表示処理部３０１は、ストロークの描画のための色（ここでは、緑）と手書き可能なページ６００の背景色（ここでは、緑）とが同色であると判定する。この判定のための処理では、表示処理部３０１は、描画のための色と背景色との間の差分を算出し、この差分が閾値が以下であることを条件に、描画のための色と背景色とが同色であると判定しても良い。
【００７２】
表示処理部３０１は、手書きによって入力されるストロークを予め設定されたペンスタイルでページ６００上に描画する。この場合、描画の色は、緑の補色である赤に設定される。また、線種は破線、線の太さは太線、に設定される。したがって、例えば文字列“ｓｔｒｏｋｅ”が手書きされた場合には、この手書き文字列“ｓｔｒｏｋｅ”に対応する複数のストロークの軌跡が、赤色、太線、破線という描画形態で、画面上の緑の背景上に描画される。補色はユーザが視認しやすい色である。また、通常の手書き入力操作で描画されるストロークの形態としては、規定の線種（実線）および規定の太さ（ある決まったポイント）が用いられることが多い。したがって、破線のような線種の線または太線でストロークの軌跡を描画することにより、たとえ既にページ６００上に多くのストロークが様々な色で表示されている場合であっても、このストロークを通常の他のストロークと区別してユーザに提示することが可能となる。
【００７３】
手書き文字列“ｓｔｒｏｋｅ”が赤色、太線、破線という形態である期間表示された後、表示処理部３０１は、手書き文字列“ｓｔｒｏｋｅ”の色を元の色（緑）に自動的に戻す。すなわち、表示処理部３０１は、手書き文字列“ｓｔｒｏｋｅ”に対応するストローク群を赤色、太線、破線という形態で画面上に描画してから第１期間が経過した後に、手書き文字列“ｓｔｒｏｋｅ”に対応するストローク群を元の色（緑）で画面上に描画（再描画）する。これにより、手書き文字列“ｓｔｒｏｋｅ”の色は元の色（緑）に自動的に戻される。
【００７４】
図８は、背景の色と異なる色で描画されたストロークの色を元の色に戻す動作の第１の例を示す。  
ここでは、ストロークの描画の色（現在のペンの色）が背景色と同じ色に設定されている状態で、複数のストロークがユーザによって連続的に手書きされる場合を想定する。この場合、ストロークが連続的に手書きされている期間中は、これらストロークは現在のペンの色（背景色）と異なる色で表示され続ける。一連の手書き入力操作が終わってからある一定時間が経過すると、画面上のこれらストロークの色が設定された元の色に変更される。換言すれば、これらストロークは元の色で画面上に再び描画される。
【００７５】
すなわち、ストロークの描画の色が背景色と同じ色に設定されている状態で、手書きによって入力されるストロークが、設定されている色（背景色）と異なる色で表示される上述の第１の期間は、このストロークの第２色での描画の開始に対応する時点から、手書きによる入力が第１の基準時間（例えば２秒）以上途絶えることが検出されるまでの期間である。
【００７６】
いま、図８に示すように、ストロークの描画の色が背景色と同じ色に設定されている状態で、ストロークＳＴ１〜ＳＴ３がユーザによって連続的に手書きされ、その後、手書きによる入力が２秒以上途絶えたことが検出された場合を想定する。
【００７７】
タイミングＴ１で、手書きによって入力されるストロークＳＴ１の描画が開始される。ストロークＳＴ１は、設定された色（第１色）と異なる上述の第２色で描画される。タイミングＴ２でストロークＳＴ１の描画が完了される。タイミングＴ２から２秒経過する前のタイミングＴ３で、手書きによって入力されるストロークＳＴ２の描画が開始される。ストロークＳＴ２は、設定された色（第１色）と異なる上述の第２色で描画される。タイミングＴ４でストロークＳＴ２の描画が完了される。タイミングＴ４から２秒経過する前のタイミングＴ５で、手書きによって入力されるストロークＳＴ３の描画が開始される。ストロークＳＴ３は、設定された色（第１色）と異なる上述の第２色で描画される。タイミングＴ６でストロークＳＴ３の描画が完了される。
【００７８】
タイミングＴ６の後、タイミングＴ７で、手書きによる入力が２秒以上途絶えたことが表示処理部３０１によって検出される。この時、画面上のストロークＳＴ１〜ＳＴ３の色は、設定された元の色（第１色）に変更される。すなわち、ストロークＳＴ１〜ＳＴ３は元の色（第１色）で画面上に再び描画される。これにより、画面上のストロークＳＴ１〜ＳＴ３の色は、ペン設定部３００Ａによって設定された元の色（第１色）に戻される。この場合、表示処理部３０１は、画面上のストロークＳＴ１〜ＳＴ３の色を元の色（第１色）に戻すために、作業メモリ４０１に格納されているストロークＳＴ１〜ＳＴ３に対応するストロークデータに基づいて、これらストロークＳＴ１〜ＳＴ３を、設定された元の色（第１色）で画面上に再描画し得る。
【００７９】
図８の例においては、上述の第１の期間の最小値は２秒である。また、上述第１の期間は、各ストロークが現在のペンの色（第１色）と異なる色（第２色）で表示される期間として定義することもできる。
【００８０】
この場合、ストロークＳＴ１に関していえば、このストロークＳＴ１が現在のペンの色（第１色）と異なる色（第２色）で表示される第１の期間は、タイミングＴ１からタイミングＴ７までの期間Ｔに相当する。ストロークＳＴ２が第２色で表示される第１の期間は、タイミングＴ３からタイミングＴ７までの期間に相当する。またストロークＳＴ３が第２色で表示される第１の期間は、タイミングＴ５からタイミングＴ７までの期間に相当する。
【００８１】
図８で説明した動作を使用することにより、手書き入力操作が連続的に実行されている間は、背景色と同じペン色を有する各ストロークを視認可能に表示することができるので、操作性の向上を図ることができる。
【００８２】
なお、各ストロークの色を第２色から元の色（第１色）に即座に変更する代わりに、各ストロークの色を第２色から元の色（第１色）に向けて連続的に遷移させても良い。これにより、各ストロークは時間をかけて徐々に消えるので、ユーザに各ストロークがまもなく見えなくなることを事前に通知することができる。各ストロークを第２色から元の色（第１色）に向けて連続的に遷移させるために、第２色と第１色との範囲内に含まれる複数の異なる色を使用して各ストロークを連続的に再描画してもよい。
【００８３】
例えば、タイミングＴ６の後、手書きによる入力が１秒途絶えたことが検出された時に、表示処理部３０１は、図１１の実線６０１または実線６０２、に示すように、ストロークＳＴ１〜ＳＴ３の色を第２色（補色）から元の色（背景色）に向けて連続的に遷移させ得る。
【００８４】
もしユーザが図８のタイミングＴ７の前に手書き入力操作を再開したならば、つまり手書きによる入力が第１の基準時間以上途絶えることが検出される前に次のストロークが手書き入力されたならば、ストロークＳＴ１〜ＳＴ３が視認可能な色で表示される期間は自動的に延長される。さらに、表示処理部３０１は、図１１の点線で示すように、既に背景色に比較的近い色に変更されているストロークＳＴ１〜ＳＴ３の現在の色を、第２色（補色）に即座に戻す。これにより、ユーザに各ストロークが視認可能な色で表示される期間が延長されたことを分かり易く認識させることができる。
【００８５】
一方、もしユーザが図８のタイミングＴ７の前に手書き入力操作を再開しなかったならば、つまり手書きによる入力が第１の基準時間以上途絶えることが検出されたならば、図８のタイミングＴ７の時点で、ストロークＳＴ１〜ＳＴ３の色は背景色と同じ色となる。
【００８６】
図９は、背景の色と異なる第２色で描画されたストロークの色を元の色（背景色と同じ第１色）に戻す動作の第２の例を示す。  
ここでは、ストロークの描画の色（現在のペンの色）が背景色と同じ色に設定されている状態で、複数のストロークがユーザによって連続的に手書きされる場合を想定する。この場合、各ストロークは、このストロークの描画が完了してから第１時間（例えば２秒）するまでは、第２色で表示され続ける。ストロークの描画の完了後の経過時間が第１時間（例えば２秒）に達すると、このストロークの色は元の色に戻される。すなわち、図９の例では、上述の第１の期間は、ストロークが第２色で描画されてから第１時間（例えば２秒）が経過するまでの期間である。また、上述したように、上述第１の期間は、各ストロークが現在のペンの色（第１色）と異なる色（第２色）で表示される期間として定義することもできる。
【００８７】
この場合、上述第１の期間は、ストロークの第２色描画の開始に対応する時点から、このストロークの描画の完了後の経過時間が第１時間（例えば２秒）に達するまでの期間である。
【００８８】
いま、図９に示すように、ストロークの描画の色が背景色と同じ色に設定されている状態で、ストロークＳＴ１〜ＳＴ４がユーザによって連続的に手書きされた場合を想定する。
【００８９】
タイミングＴ１で、手書きによって入力されるストロークＳＴ１の描画が開始される。ストロークＳＴ１は、設定された色（第１色）と異なる上述の第２色で描画される。タイミングＴ２でストロークＳＴ１の描画が完了される。タイミングＴ２から２秒経過する前のタイミングＴ３で、手書きによって入力されるストロークＳＴ２の描画が開始される。ストロークＳＴ２は、設定された色（第１色）と異なる上述の第２色で描画される。タイミングＴ２から２秒経過したタイミングＴａで、ストロークＳＴ１は第１色で再び描画され、これによってストロークＳＴ１の色は元の色（背景色と同じ色）に変更される。
【００９０】
タイミングＴ４でストロークＳＴ２の描画が完了される。タイミングＴ４から２秒経過する前のタイミングＴ５で、手書きによって入力されるストロークＳＴ３の描画が開始される。ストロークＳＴ３は、設定された色（第１色）と異なる上述の第２色で描画される。タイミングＴ４から２秒経過したタイミングＴｂで、ストロークＳＴ２は第１色で再び描画され、これによってストロークＳＴ２の色は元の色に変更される。
【００９１】
タイミングＴ６でストロークＳＴ３の描画が完了される。タイミングＴ６から２秒経過する前のタイミングＴ７で、手書きによって入力されるストロークＳＴ４の描画が開始される。ストロークＳＴ４は、設定された色（第１色）と異なる上述の第２色で描画される。タイミングＴ６から２秒経過したタイミングＴｃで、ストロークＳＴ３は第１色で再び描画され、これによってストロークＳＴ３の色は元の色に変更される。
【００９２】
図１０のフローチャートは、デジタルノートブックアプリケーションプログラム２０２によって実行される描画処理の手順を示す。ここでは、画面上のストロークの色を元の色に戻すために、図８で説明した動作を使用する場合を想定する。
【００９３】
デジタルノートブックアプリケーションプログラム２０２は、現在のペンの描画形態が透明属性を有する描画形態（透明ペン）であるか否かを判定する（ステップＳ１１）。
【００９４】
現在のペンの描画形態が透明ペンであるならば（ステップＳ１１のＹＥＳ）、デジタルノートブックアプリケーションプログラム２０２は、現在のペンの色を透明ペンに対応する色に設定、つまり現在の背景色と同じ色に設定する。そして、デジタルノートブックアプリケーションプログラム２０２は、手書きによって入力されるストロークを、背景色と異なる色、つまり上述の予め決められたペンスタイル（色＝背景色の補色、線種＝破線、線の太さ＝太）で画面上に描画する（ステップＳ１２）。これにより、ストロークは背景色と異なる色で画面上に表示される。
【００９５】
ユーザによって複数のストロークが連続的に手書きされると、これらストロークのそれぞれが上述の予め決められたペンスタイルで画面上に描画される。
【００９６】
デジタルノートブックアプリケーションプログラム２０２は、最後のストロークの描画完了からの経過時間を計時し、最後のストロークの描画完了から第１の基準時間（ここでは、ｎ秒）が経過したか否か、つまり手書きによる入力が第１の基準時間以上途絶えたか否かを判定する（ステップＳ１３）。
【００９７】
最後のストロークの描画完了後に入力が途絶えている状態がｎ秒継続したならば、デジタルノートブックアプリケーションプログラム２０２は、最後のストロークの描画完了から第１の基準時間（ここでは、ｎ秒）が経過したと判定する（ステップＳ１３のＹＥＳ）。この場合、デジタルノートブックアプリケーションプログラム２０２は、上述の予め決められたペンスタイルで描画されたストロークそれぞれを、透明ペンに対応する描画形態で画面上に再描画する（ステップＳ１４）。このステップＳ１４では、上述の予め決められたペンスタイルで描画された画面上のストロークそれぞれの色は背景色と同じ色に変更される。これにより、これらストロークは見えない状態となる。
【００９８】
現在のペンの描画形態が透明ペンでないならば（ステップＳ１１のＮＯ）、デジタルノートブックアプリケーションプログラム２０２は、現在のペンの色と現在の背景色との差分の関数に基づいて、現在のペンの色と現在の背景色とが同色であるか否かを判定する（ステップＳ１５）。
【００９９】
現在のペンの色と現在の背景色とが同色ではないと判定したならば（ステップＳ１５のＮＯ）、デジタルノートブックアプリケーションプログラム２０２は、手書きによって入力されるストロークを、現在のペンの色で画面上に描画する（ステップＳ１６）。
【０１００】
現在のペンの色と現在の背景色とが同色であると判定したならば（ステップＳ１５のＮＯ）、デジタルノートブックアプリケーションプログラム２０２は、手書きによって入力されるストロークを、背景色と異なる色、つまり上述の予め決められたペンスタイル（色＝背景色の補色、線種＝破線、線の太さ＝太）で画面上に描画する（ステップＳ１７）。これにより、ストロークは背景色と異なる色で画面上に表示される。ユーザによって複数のストロークが連続的に手書きされると、これらストロークのそれぞれが上述の予め決められたペンスタイルで画面上に描画される。
【０１０１】
上述したように、これらストロークはある期間のみ一時的に視認可能な状態で表示されるが、この期間が過ぎると、これらストロークは見えない状態となる。
【０１０２】
ユーザが背景色と同じ色を誤って選択してしまう場合があることを考慮し、デジタルノートブックアプリケーションプログラム２０２は、必要に応じて、オプションメニューを画面上に表示し、これらストロークを見える状態に維持しておくか否かを問い合わせてもよい。
【０１０３】
この場合、最後のストロークの描画完了から第１の基準時間（ここでは、ｎ秒）が経過した時に（ステップＳ１８のＹＥＳ）。デジタルノートブックアプリケーションプログラム２０２は、ストロークを見える状態に維持しておくべきことがユーザによって選択されているか否かを判定する（ステップＳ２０）。ストロークを見える状態に維持しておくべきことが選択されているならば（ステップＳ１９のＹＥＳ）、デジタルノートブックアプリケーションプログラム２０２は、上述の予め決められたペンスタイルで描画された画面上のストロークそれぞれの色を元の色に変更せずに、つまりこれらストロークを元の色で再描画せずに、これらストロークを見える状態に維持しておく（ステップＳ２０）。
【０１０４】
一方、ストロークを見える状態に維持しておくべきことが選択されていないならば（ステップＳ１９のＮＯ）、デジタルノートブックアプリケーションプログラム２０２は、上述の予め決められたペンスタイルで描画されたストロークそれぞれを、設定された現在のペンスタイル（現在のペンの色）で画面上に再描画する（ステップＳ２１）。これにより、上述の予め決められたペンスタイルで描画された画面上のストロークそれぞれの色は背景色と同じ色に変更される。
【０１０５】
以上説明したように、本実施形態においては、ユーザインタフェースの操作に応じて設定される色（任意の第１色）と画面上の背景の色が同色である場合には、手書きによって入力される第１のストロークは、設定される第１色と異なる第２色で画面上に描画される。そして、第１のストロークを第２色で描画してから第１の期間が経過した後に、画面上に第１のストロークが第１色で描画される。よって、ユーザが画面を見ながら手書き入力操作を行うことを可能にでき、且つ自動的に第１のストロークを見えない状態にすることができる。
【０１０６】
したがって、手書きの文字またはマーク等の描画の色を何度も手動で設定し直すこと無く、透明属性を有する手書きの文字またはマーク等を手書きデータに容易に埋め込むことが可能となり、手書きデータの操作性を高めることができる。
【０１０７】
なお、ここでは、背景の色が手書きページの背景色である場合を主として例示したが、上述したように、背景の色は、ストロークの背面側に位置する画面上のオブジェクトの色、例えば、このオブジェクトの背景色、であってもよい。
【０１０８】
また本実施形態の各種処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
0005925957.tif 000002
【図２】
0005925957.tif 000003
【図３】
0005925957.tif 000004
【図４】
0005925957.tif 000005
【図５】
0005925957.tif 000006
【図６】
0005925957.tif 000007
【図７】
0005925957.tif 000008
【図８】
0005925957.tif 000009
【図９】
0005925957.tif 000010
【図１０】
0005925957.tif 000011
【図１１】
0005925957.tif 000012